(57)【要約】 【課題】  孤立点状のムラによる電圧マージンの圧迫を抑制して、安定して動作させる。【解決手段】  開示されるＰＤＰ１０は、対を成して行方向に沿って互いに平行に配置される走査電極５及び維持電極６から構成された面放電電極と、列方向に沿って配置されるデータ電極１３とを具備し、面放電電極はバス電極１３とバス電極１３からそれぞれ放電ギャップ７側に突出した主放電電極として動作する透明電極５Ａ、６Ａとを有する構成において、主放電電極は放電ギャップ７に面する第１部分５ａ、６ａとバス電極１３に接する第２部分５ｂ、６ｂとから成り、これら第２部分５ｂ、６ｂはこの中心線がデータ電極１３の中心線からずれた位置に配置され、かつ放電ギャップ７を挟んで対となる第２部分５ｂ、６ｂはこれら中心線がデータ電極１３の中心線から反対側にずれた位置に配置される。【選択図】      図２
2006004679.tif 000002
【特許請求の範囲】
【請求項１】
対を成して行方向に沿って互いに平行に配置される走査電極及び維持電極から構成された面放電電極と、該面放電電極と交わる列方向に沿って配置されるデータ電極とを具備し、前記面放電電極はバス電極と該バス電極からそれぞれ放電ギャップ側に突出した主放電電極とを有するプラズマディスプレイパネルであって、
前記主放電電極は前記放電ギャップに面する第１部分と前記バス電極に接する第２部分とから成り、該第２部分はこの中心線が前記データ電極の中心線からずれた位置に配置され、かつ前記放電ギャップを挟んで対となる前記第２部分はこれら中心線が前記データ電極の中心線から反対側にずれた位置に配置されることを特徴とするプラズマディスプレイパネル。
【請求項２】
対となる前記第２部分は、表示領域の中心点に対して点対称の位置に配置されることを特徴とする請求項１記載のプラズマディスプレイパネル。
【請求項３】
前記第１部分はこの中心線が、前記データ電極の中心線と重なる位置に配置されることを特徴とする請求項１又は２記載のプラズマディスプレイパネル。
【請求項４】
対となる前記第２部分の中心線同士の距離は、４０μｍ以上であることを特徴とする請求項１、２又は３記載のプラズマディスプレイパネル。
【請求項５】
対となる前記第２部分の中心線同士の距離は、前記行方向に隣接する放電セルのピッチの１０％以上であることを特徴とする請求項１乃至４のいずれか一に記載のプラズマディスプレイパネル。
【請求項６】
前記放電セルのセルピッチは、３３０μｍであることを特徴とする請求項４又は５記載のプラズマディスプレイパネル。
【請求項７】
前記バス電極と前記第１部分は、１個の前記第２部分で接続されることを特徴とする請求項１乃至６のいずれか一に記載のプラズマディスプレイパネル。
【請求項８】
対を成して行方向に沿って互いに平行に配置される走査電極及び維持電極から構成された面放電電極と、該面放電電極と交わる列方向に沿って配置されるデータ電極とを具備し、前記面放電電極はバス電極と該バス電極からそれぞれ放電ギャップ側に突出した主放電電極とを有するプラズマディスプレイパネルであって、
前記主放電電極は前記放電ギャップに面する第１部分と前記バス電極に接する第２部分とから成り、前記データ電極は前記第２部分と対向する位置の中心線が前記第２部分の中心線からずれており、また対となる前記第１部分と対向する位置の中心線が表示領域の中心線と重なり、さらに前記第２部分と対となる位置の中心線が該第２部分の中心線と反対側にずれるように配置されることを特徴とするプラズマディスプレイパネル。
【請求項９】
前記データ電極は、表示領域の中心点に対して点対称の位置に配置されることを特徴とする請求項８記載のプラズマディスプレイパネル。
【請求項１０】
前記第１部分及び前記第２部分は、これらの中心線が表示領域の中心線と重なる位置に配置されることを特徴とする請求項８又は９記載のプラズマディスプレイパネル。
【請求項１１】
請求項１乃至１０のいずれか一に記載のプラズマディスプレイパネルを用いて
構成したことを特徴とするプラズマ表示装置。
【発明の詳細な説明】
【技術分野】
【０００１】
この発明は、プラズマディスプレイパネル（Plasma Display Panel:以下、ＰＤＰとも称する）及びプラズマ表示装置に係り、詳しくは、ＰＤＰの電極配置の改善を図るＰＤＰ及びプラズマ表示装置に関する。
【背景技術】
【０００２】
一般に、ＰＤＰを主要部として含むプラズマ表示装置は、従来から広く用いられているＣＲＴ(Cathode Ray Tube)、あるいは液晶表示装置等のディスプレイ装置と比較して、ちらつきが少なく表示コントラスト比が大きいこと、薄型で大画面が可能であること、応答速度が速いこと等の多くの利点を有しているために、近年コンピュータのような情報処理機器、平面テレビジョン等のディスプレイ装置として利用されてる。
【０００３】
このプラズマ表示装置は、動作方式により、ＰＤＰにおける電極が誘電体で被覆されて間接的に交流放電の状態で動作させるＡＣ型のものと、同電極が放電空間に露出されて直流放電の状態で動作させるＤＣ型のものとに略大別される。さらに、ＡＣ型のものは上記誘電体の電荷蓄積作用によるメモリ機能を利用するメモリ動作型と、その電荷蓄積作用を利用しないリフレッシュ型とがある。これらの中で、特にメモリ動作型のＡＣ型のものは比較的簡単な構造で上述したような大画面化が容易に実現できるので広く用いられている。このようなＰＤＰは、それぞれガラス等の透明材料から成る前面基板（第１の基板）及び背面基板（第２の基板）が対向するように配置されて、両基板間にプラズマを発生させる放電ガス空間が形成される基本的な構成を有している。
【０００４】
図７は、一般的なメモリ動作型のＰＤＰの概略構成を示す斜視図、図８は図７のＰＤＰの電極配置を示す平面図である。同ＰＤＰ１００は、図７に示すように、前面基板１０１と、背面基板１０２とが対向するように配置されて、両基板１０１、１０２間に放電ガス空間１０３が形成される基本的な構成を有している。
ここで、前面基板１０１は、ガラス等の透明材料から成る第１の絶縁基板１０４と、第１の絶縁基板１０４の内面に行方向Ｈに沿って互いに平行に配置され放電ギャップ１０７を介して対向するように形成されて一対の行電極を構成する、それぞれ透明電極１０５Ａ、１０６Ａ及びバス電極（トレース電極）１０５Ｂ、１０６Ｂから構成された走査電極１０５及び維持電極（共通電極）１０６と、走査電極１０５及び維持電極１０６を被覆する誘電体層１０８と、誘電体層１０８を放電から保護する保護層１０９とを備えている。
【０００５】
一方、背面基板１０２は、ガラス等の透明材料から成る第２の絶縁基板１１１と、第２の絶縁基板１１１の内面に行方向Ｈと直交する列方向Ｖに沿って形成されて列電極を構成するデータ電極（アドレス電極）１１２と、データ電極１１２を被覆する誘電体層１１３と、上記放電ガス空間１０３を確保するとともに、個々の放電セルを区切るために列方向Ｖに沿って形成された隔壁１１４と、隔壁１１４の底面及び内壁面を覆う蛍光体層１１５とを備えている。蛍光体層１１５を赤色（Ｒ）、緑色（Ｇ）及び青色（Ｂ）に塗り分ければカラー表示ができるようになる。前面基板１０１と背面基板１０２とにより挟まれ、かつ隔壁１１４により囲まれた空間にはＨｅ（ヘリウム）、Ｎｅ（ネオン）及びＸｅ（キセノン）等が単独で、あるいは混合ガスから成る放電用ガスが封入されて、ＰＤＰ１００が構成される。ここで、符号１１０は単位放電セル（以下、表示セルあるいは単にセルとも称する）である。
【０００６】
上述のＰＤＰ１００は、図８に示すように、走査電極１０５、維持電極１０６及びデータ電極１１２により３電極を構成して、行電極である走査電極１０５と維持電極１０６との間で放電ギャップ１０７を介して面放電が発生することにより、画像の表示が行われる。このような面放電時に、走査電極１０５及び維持電極１０６の各透明電極１０５Ａ、１０６Ａは主放電電極として動作する。ここで、符号１１０は単位放電セル（以下、表示セルあるいは単にセルとも称する）である。
【０００７】
上述のようなメモリ動作型のＰＤＰにおいて、動作時の消費電力を抑制するようにした構成のものが、例えば特許文献１（第１の従来技術）あるいは特許文献２（第２の従来技術）に開示されている。特許文献１に開示されているＰＤＰは、図９に示すように、走査電極１０５及び維持電極１０６の主放電電極として動作する各透明電極１０５Ａ、１０６Ａを、それぞれ放電ギャップ１０７に面する第１部分１０５ａ、１０６ａと、バス電極１０５Ｂ、１０６Ｂに接する第２部分１０５ｂ、１０６ｂとに分けて、列方向Ｖに沿う各透明電極１０５Ａ、１０５Ｂの中心線とデータ電極１１２の中心線とを重ねる（一致させる）ようにしたものである。一方、特許文献２に開示されているＰＤＰは、図１０に示すように、各透明電極１０５Ａ、１０６Ａのバス電極１０５Ｂ、１０６Ｂに面する第２部分１０５ｂ、１０６ｂをそれぞれ一対ずつ設けて、各透明電極１０５Ａ、１０６Ａの中心線をデータ電極１１２の中心線からずらすようにしたものである。
【０００８】
次に、図８〜図１０の各電極配置を含むそれぞれのＰＤＰの放電動作について説明する。
まず、各表示セル１１０の走査電極１０５とデータ電極１１２との間に放電しきい値を越えるパルス電圧を印加して放電（対向放電）を開始させると、このパルス電圧の極性に対応して正負の電荷が両誘電体層１０８、１１３の表面に付着して電荷の蓄積を生ずる。この結果、電荷蓄積に起因する等値的な内部電圧、すなわち、上記パルス電圧と逆極性の壁電圧が生ずるので、放電の成長とともにセルの内部の実効電圧が低下して、上記パルス電圧が一定値を保持していても、放電を維持することができなくなるため放電は停止する。
【０００９】
ここで、走査電極１０５とデータ電極１１２との間で放電が発生するときに、走査電極１０５と維持電極１０６との間に一定レベル以上の電圧を印加しておくと、この電圧をトリガとして走査電極１０５と維持電極１０６との間でも放電（面放電）が発生する。そして、この面放電は走査電極１０５とデータ電極１１２との間の対向放電と同様に、このとき印加した電圧を打ち消すように誘電体層１０８に電荷の蓄積を生じさせる。
【００１０】
次に、走査電極１０５と維持電極１０６との間に、壁電圧と同極性のパルス電圧である維持放電パルスを印加すると、壁電圧の分が実効電圧として重畳されるため、維持放電パルスの電圧振幅が低くても、放電しきい値を越えて放電することができる。したがって、維持放電パルスを走査電極１０５と維持電極１０６との間に交互に印加し続けることによって、放電を維持することが可能となる。この機能がメモリ機能である。
【００１１】
ＰＤＰでは十分な階調表示を行うために、図１１に示すように、１画面を表示する１フィールド走査期間ＴＦは複数の例えば８〜１０のサブフィールド走査期間ＴＳから構成されて、各サブフィールド走査期間ＴＳは、セルの状態を初期化して放電を発生し易くするための期間である初期化期間Ｔ１と、表示するセルを選択する期間である走査期間Ｔ２と、走査期間Ｔ２で選択したセルを発光させる期間である維持期間Ｔ３とに分離されている。
【００１２】
次に、図１２の電圧駆動波形を参照して、従来のメモリ動作型のＰＤＰの駆動方法について説明する。ここで、Ｓｉはｉ番目に走査電極１０５に、Ｃは維持電極（共通電極）１０６に、Ｄはデータ電極１１２にそれぞれ印加する波形を示している。なお、符号Ｖｓは維持電圧を示している。
まず、初期化期間Ｔ１では、全ての走査電極１０５に消去パルスＰ１を印加して、消去放電を発生させることにより、それ以前に維持放電パルスにより生じて蓄積していた壁電荷を消去する。こでで消去とは、壁電荷を全てなくすことに限らず、続く予備放電、書込み放電及び維持放電等を円滑に行うべく、壁電荷量を調整することも含んでいる。これら予備放電及び予備放電消去により、後続する書込み放電が容易になる。予備放電パルスＰ２、予備放電消去パルスＰ３は、時間の経過とともに徐々に電圧が上昇していく鋸歯状波であり、この波形による放電は放電ギャップ１０７の近傍でしか広がらないような弱い放電になる。
【００１３】
次に、走査期間Ｔ２では、各走査電極１０５にタイミングをずらしつつ走査パルスＰ４を順次に印加して、走査パルスＰ４を印加したタイミングに合わせて、データ電極１１２に表示データに応じてデータパルスＰ５を印加する。走査パルスＰ４の印加時にデータパルスＰ５が印加されたセルでは、走査電極１０５とデータ電極１１２との間で放電が発生し、この放電に誘発されて走査電極１０５と維持電極１０６との間でも放電が発生する。これら一連の放電は書込み放電となり、書込み放電が発生すると走査電極１０５上の誘電体層１０８には正電荷が、維持電極１０６上の誘電体層１０８には負電荷が、データ電極１１２上の誘電体層１１３には負電荷がそれぞれ蓄積される。
【００１４】
次に、維持期間Ｔ３では、走査期間Ｔ２において書込み放電が発生し、誘電体層１０８に蓄積された電荷による電圧が維持電圧に重畳された場合には、走査電極１０５と維持電極１０６との間で面放電が発生する。走査電極１０５で書込み放電が発光せず、誘電体層１０８に壁電荷が形成されていない場合には、面放電が発生する開始電圧を越えないような電圧に維持電圧は設定されている。したがって、走査期間Ｔ２において選択したセルのみで表示の維持放電が発生する。
【００１５】
第１回目の維持放電（以降、第１維持放電と称する）が発生すると、走査電極１０５上の誘電体層１０８には負電荷が蓄積され、維持電極１０６上の誘電体層１０８には正電荷が蓄積される。この際、維持電極１０６を陰極、データ電極１１２を陽極とする意図しない放電が発生することがあり、壁電荷が不十分になってしまう場合もある。
【００１６】
第２番目の維持パルスＰ６は、第１番目の維持パルスＰ６とは走査電極１０５と維持電極１０６との間に印加される電圧の極性が逆転しているため、誘電体層１０８に蓄積された電荷による電圧が重畳されて、第２回目の維持放電が発生する。以降、同様にして第３回目以降の維持電極が持続される。個々の維持放電を微視的にみれば、維持放電は放電ギャップ１０７からバス電極１０５Ｂ、１０６Ｂに向かって、主放電電極である透明電極１０５Ａ、１０６Ａの形状をトレースするように広がる。第１番目の維持パルスＰ６で面放電が発生しなかった場合には、第２番目以降の維持パルスＰ６においても放電は発生しない。
【特許文献１】特開２００３−３６７９２号公報
【特許文献２】特開２００４−５５４８９号公報
【発明の開示】
【発明が解決しようとする課題】
【００１７】
ところで、特許文献１、２に記載されている従来のＰＤＰでは、いずれも動作時に孤立点状のムラが発生して電圧マージンが圧迫されて、安定な動作が困難になる、という問題がある。
すなわち、従来のＰＤＰはいずれも同色全面表示を行う場合に、表示面が均等に点灯せず、セル毎でも明部のセルと暗部のセルが発生して、画面全体ではムラとなって見えるようになる。
まず、特許文献１記載のＰＤＰでは、図９に示したように、走査電極１０５及び維持電極１０６の主放電電極として動作する各透明電極１０５Ａ、１０６Ａの中心線とデータ電極１１２の中心線とを重ねるように構成されているので、第１維持放電の際に、走査電極１０５及び維持電極１０６とデータ電極１１２との間で意図しない対向放電が頻繁に起こるようになる。したがって、維持期間Ｔ３において、放電が不安定のまま繰り返されてしまうことになる。
【００１８】
次に、特許文献２記載のＰＤＰでは、図１０に示すように、各透明電極１０５Ａ、１０６Ａのバス電極１０５Ｂ、１０６Ｂに接する第２部分１０５ｂ、１０６ｂがそれぞれ一対ずつ設けられる構成になっているので、個々の維持パルスＰ６において、放電ギャップ１０７から各バス電極１０５Ｂ、１０６Ｂに向かって放電が各透明電極１０５Ａ、１０６Ａの形状をトレースするように広がる際に、各一対の第２部分１０５ｂ、１０６ｂに広がる放電のタイミングが変わるようになる。したがって、放電の広がりが不安定になる。
このように、いずれにおいても維持期間Ｔ３において放電が不安定のまま繰り返されるようになると、孤立点状のムラが発生して電圧マージンが圧迫されるようになるので、ＰＤＰの動作が不安定になるのが避けられない。
【００１９】
この発明は、上述の事情に鑑みてなされたもので、孤立点状のムラによる電圧マージンの圧迫を抑制して、安定して動作させることができるようにしたプラズマディスプレイパネル及びプラズマ表示装置を提供することを目的としている。
【課題を解決するための手段】
【００２０】
上記課題を解決するために、請求項１記載の発明は、対を成して行方向に沿って互いに平行に配置される走査電極及び維持電極から構成された面放電電極と、該面放電電極と交わる列方向に沿って配置されるデータ電極とを具備し、上記面放電電極はバス電極と該バス電極からそれぞれ放電ギャップ側に突出した主放電電極とを有するプラズマディスプレイパネルに係り、上記主放電電極は上記放電ギャップに面する第１部分と上記バス電極に接する第２部分とから成り、該第２部分はこの中心線が上記データ電極の中心線からずれた位置に配置され、かつ上記放電ギャップを挟んで対となる上記第２部分はこれら中心線が上記データ電極の中心線から反対側にずれた位置に配置されることを特徴としている。
【００２１】
また、請求項２記載の発明は、請求項１記載のプラズマディスプレイパネルに係り、対となる上記第２部分は、表示領域の中心点に対して点対称の位置に配置されることを特徴としている。
【００２２】
また、請求項３記載の発明は、請求項１又は２記載のプラズマディスプレイパネルに係り、上記第１部分はこの中心線が、上記データ電極の中心線と重なる位置に配置されることを特徴としている。
【００２３】
また、請求項４記載の発明は、請求項１、２又は３記載のプラズマディスプレイパネルに係り、対となる上記第２部分の中心線同士の距離は、４０μｍ以上であることを特徴としている。
【００２４】
また、請求項５記載の発明は、請求項１乃至４のいずれか一に記載のプラズマディスプレイパネルに係り、対となる上記第２部分の中心線同士の距離は、上記行方向に隣接する放電セルのピッチの１０％以上であることを特徴としている。
【００２５】
また、請求項６記載の発明は、請求項４又は５記載のプラズマディスプレイパネルに係り、上記放電セルのセルピッチは、３３０μｍであることを特徴としている。
【００２６】
また、請求項７記載の発明は、請求項１乃至６のいずれか一に記載のプラズマディスプレイパネルに係り、上記バス電極と上記第１部分は、１個の上記第２部分で接続されることを特徴としている。
【００２７】
また、請求項８記載の発明は、対を成して行方向に沿って互いに平行に配置される走査電極及び維持電極から構成された面放電電極と、該面放電電極と交わる列方向に沿って配置されるデータ電極とを具備し、上記面放電電極はバス電極と該バス電極からそれぞれ放電ギャップ側に突出した主放電電極とを有するプラズマディスプレイパネルに係り、上記主放電電極は上記放電ギャップに面する第１部分と上記バス電極に接する第２部分とから成り、上記データ電極は上記第２部分と対向する位置の中心線が上記第２部分の中心線からずれており、また対となる上記第１部分と対向する位置の中心線が表示領域の中心線と重なり、さらに上記第２部分と対となる位置の中心線が該第２部分の中心線と反対側にずれるように配置されることを特徴としている。
【００２８】
また、請求項９記載の発明は、請求項８記載のプラズマディスプレイパネルに係り、上記データ電極は、表示領域の中心点に対して点対称の位置に配置されることを特徴としている。
【００２９】
また、請求項１０記載の発明は、請求項８又は９記載のプラズマディスプレイパネルに係り、上記第１部分及び上記第２部分は、これらの中心線が表示領域の中心線と重なる位置に配置されることを特徴としている。
【００３０】
また、請求項１１記載の発明は、プラズマ表示装置に係り、請求項１乃至１０のいずれか一に記載のプラズマディスプレイパネルを用いて構成したことを特徴としている。
【発明の効果】
【００３１】
この発明のプラズマディスプレイパネルによれば、主放電電極として動作する透明電極は放電ギャップに面する第１部分とバス電極に接する第２部分とから成り、第２部分はこの中心線がデータ電極の中心線からずれた位置に配置され、かつ放電ギャップを挟んで対となる第２部分はこれら中心線がデータ電極の中心線から反対側にずれた位置に配置されるので、孤立点状のムラによる電圧マージンの圧迫を抑制して、安定して動作させることができる。また、この発明のプラズマ表示装置によれば、プラズマ表示装置をモジュール化することにより、プラズマ表示装置を構成する他の構成部品とは別個に独立にプラズマ表示装置を製造することが可能となり、例えば、プラズマ表示装置が故障した場合には、ＰＤＰモジュール毎交換することにより、補修の簡素化及び短時間化を図ることができる。
【発明を実施するための最良の形態】
【００３２】
対を成して行方向に沿って互いに平行に配置される走査電極及び維持電極から構成された面放電電極と、面放電電極と交わる列方向に沿って配置されるデータ電極とを具備し、面放電電極はバス電極とバス電極からそれぞれ放電ギャップ側に突出した主放電電極として動作する透明電極とを有する構成において、主放電電極は放電ギャップに面する第１部分とバス電極に接する第２部分とから成り、これら第２部分はこの中心線がデータ電極の中心線からずれた位置に配置され、かつ放電ギャップを挟んで対となる第２部分はこれら中心線がデータ電極の中心線から反対側にずれた位置に配置される。
【実施例１】
【００３３】
図１は、この発明の実施例１であるＰＤＰの概略構成を示す斜視図、図２は同ＰＤＰの電極配置を示す平面図、図３及び図４は同ＰＤＰにより得られるマージン電圧を説明するための特性図である。
この例のＰＤＰ１０は、図１及び図２に示すように、前面基板（第１の基板）１と、背面基板（第２の基板）２とが対向するように配置されて、両基板１、２間に放電ガス空間３が形成される基本的な構成を有している。
ここで、前面基板１は、ソーダライムガラス等の透明材料から成る第１の絶縁基板４と、第１の絶縁基板４の内面に行方向Ｈに沿って互いに平行に配置され放電ギャップ７を介して対向するように形成されて一対の行電極を構成する、それぞれＩＴＯ(Indium Tin Oxide)、酸化錫（ＳｎＯ2）等の透明電極５Ａ、６Ａ及びこれら透明電極５Ａ、６Ａの一部にそれぞれ抵抗を小さくするために形成されたＡｌ（アルミニウム）、Ｃｕ（銅）、Ａｇ（銀）等の金属材料から成るバス電極（トレース電極）５Ｂ、６Ｂから構成された走査電極５及び維持電極（共通電極）６と、走査電極５及び維持電極６を被覆する亜鉛含有フリットガラス、鉛含有フリットガラス等から成る誘電体層８と、誘電体層８を放電から保護するＭｇＯ（酸化マグネシウム）等から成る保護層９とを備えている。
【００３４】
一方、背面基板２は、ソーダライムガラス等の透明材料から成る第２の絶縁基板１２と、第２の絶縁基板１２の内面に行方向Ｈと直交する列方向Ｖに沿って形成されてＡｌ、Ｃｕ、Ａｇ等から成るデータ電極（アドレス電極）１３と、データ電極１３を被覆する亜鉛含有フリットガラス、鉛含有フリットガラス等から成る誘電体層１４と、Ｈｅ、Ｎｅ、Ｘｅ等が単独で、あるいは混合ガスから成る放電用ガスが封入されて上記放電ガス空間３を確保するとともに、個々の放電セルを区切るために列方向Ｖに沿って形成された鉛含有フリットガラス等から成る隔壁１５と、隔壁１５の底面及び壁面を覆う位置に形成され放電用ガスの放電により発生する紫外線を可視光に変換する赤色（Ｒ）蛍光体層、緑色（Ｇ）蛍光体層及び青色（Ｂ）蛍光体層に塗り分けられた蛍光体層１６とを備えている。ここで、符号１１は単位放電セル（以下、表示セルあるいは単にセルとも称する）を示し、各Ｒ、Ｇ、Ｂ蛍光体層を含む３つのセル１１によりカラー表示画面の一画素が構成される。そして、複数の画素が行方向Ｈ及び列方向Ｖに沿ってマトリックス状に配置されることにより、ＰＤＰ１０が構成される。
【００３５】
上述の前面基板１及び背面基板２は、１００μｍ程度のギャップを隔てて対向した状態で固定され、その周辺部は封着材で機密封止されている。背面基板２を構成している第２の絶縁基板１２には適当な個所に通気孔が形成されており、この絶縁基板１２の外側表面には、図１では省略しているが、通気孔に位置合わせした状態で、通気管が密封状態の下で取り付けられている。絶縁基板１２に取り付けられている端部とは反対側の通気管の端部は、当初の状態においては開口されており、この端部を介して通気管が排気・ガス封入装置に接続される。
【００３６】
まず、排気・ガス封入装置によって、放電ガス空間が真空に排気された後、放電ガス空間に放電ガスが封入される。放電ガスの封入が終了した後、通気管は過熱によりチップオンされ、開口端部が閉塞される。このようにして、放電ガス空間には放電ガスが封入され、ＰＤＰ１０が完成する。
【００３７】
図１及び図２から明らかなように、走査電極５及び維持電極６の主放電電極として動作する各透明電極５Ａ、６Ａは、放電ギャップ７を介して等間隔で対向するように配置される。また、走査電極５の透明電極５Ａは放電ギャップ７に面する第１部分５ａと、バス電極５Ｂに接する第２部分５ｂとから構成される一方、維持電極６の透明電極６Ａは放電ギャップ７に面する第１部分６ａと、バス電極６Ｂに接する第２部分６ｂとから構成されて、各第２部分５ｂ、６ｂは放電ギャップ７の中心点に対して点対称となるようにそれぞれデータ電極１３の外側に配置される。すなわち、走査電極５及び維持電極６の各透明電極５Ａ、６Ａの第１部分５ａ、６ａは、これらの中心線がともにデータ電極１３の中線線と重なるように（一致するように）配置される。また、各透明電極５Ａ、６Ａの第２部分５ｂ、６ｂは、これらの中心線がともにデータ電極１３の中心線からずれるように配置され、かつ放電ギャップ７を挟んで対となる第２部分５ｂ、６ｂは、これらの中心線がデータ電極１３の中心線から反対側にずれるように配置される。
【００３８】
図３は、この例のＰＤＰ１０により得られた電圧マージンを説明するための特性図で、横軸は各第２部分５ｂ、６ｂとデータ電極１３との中心線間隔を示し、縦軸は維持電圧Ｖｓを示している。なお、●はちらつきやムラのない良好な画像が得られる最大（Ｍａｘ）の電圧を示し、一方、○は最小（Ｍｉｎ）の電圧を示している。この最大電圧と最小電圧との差が、ＰＤＰを正常に駆動できる電圧マージン電圧となる。
【００３９】
図３から明らかなように、各透明電極５Ａ、６Ａの各第２部分５ｂ、６ｂとデータ電極１３との中心線間隔が大きくなるにつれて、電圧マージンは広がることが理解される。これは、各第２部分５ｂ、６ｂの中心線をデータ電極１３の中心線からずらすことで、対向放電距離が従来に比べて長くなるため、第１維持放電の際に生ずる各第２部分５ｂ、６ｂでの意図しない対向放電の発生頻度が小さくなるので、維持放電を安定した状態で繰り返すことができるようになるからである。これに対して、例えば図９に示した従来例では、各透明電極１０５Ａ、１０６Ａの各第２部分１０５ｂ、１０６ｂとデータ電極１１２との中心線間隔が０であるため、誤動作開始の電圧値となるＭａｘと正常に書込みが完了する電圧値であるＭｉｎが逆転するので、電圧マージンを確保することができなくなる。
【００４０】
図３から明らかなように、各第２部分５ｂ、６ｂの中心線は、データ電極１３の中心線から２０μｍ以上ずらすことが好ましく、第２部分５ｂ、６ｂの中心線同士の距離にすると４０μｍ以上ずらすことが好ましいことが理解される。
【００４１】
図３の結果は、単位表示セルピッチが３３０μｍの例の場合であり、この場合第２部分５ｂ、６ｂの中心線同士の距離はセルピッチの１０％以上となるようにずらすことが好ましい。しかしながら、他のセルピッチに変更しても同様に、第２部分５ｂ、６ｂの中心線同士の距離はセルピッチの１０％以上となるようにずらすことで、十分な電圧マージンを確保することができる。
【００４２】
図４は、この例のＰＤＰ１０により得られた電圧マージンを説明するための他の特性図で、従来例と比較して示している。Ａはこの例のＰＤＰにより得られた特性を、Ｂは図１０に示した従来例により得られた特性を示している。従来例による特性Ｂでは、上述した図９に示した従来例の場合と同様に、誤動作開始の電圧値となるＭａｘと正常に書込みが完了する電圧値であるＭｉｎが逆転するので、電圧マージンを確保することができなくなっている。これは、従来例では各透明電極１０５Ａ、１０６Ａの各第２部分１０５ｂ、１０６ｂがそれぞれ一対ずつ設けられていて、各第２部分１０５ｂ、１０６ｂの中心線がデータ電極１１２の中心線からずれていても、各第２部分１０５ｂ、１０６ｂが２個ずつ設けられているので、個々の維持パルスにおいて、各第２部分１０５ｂ、１０６ｂに広がる放電のタイミングが変わるため、放電の広がりが不安定になるためである。この点で、この例による特性Ａでは、各透明電極５Ａ、６Ａのバス電極５Ｂ、６Ｂに接する各第２部分５ｂ、６ｂは１個ずつなので、個々の維持パルスにおいて、各第２部分５ｂ、６ｂに広がる放電のタイミングが変わらないため、十分な電圧マージンを確保することができる。
【００４３】
このように、この例のＰＤＰ１０によれば、対を成して行方向に沿って互いに平行に配置される走査電極５及び維持電極６から構成された面放電電極と、面放電電極と交わる列方向に沿って配置されるデータ電極１３とを具備し、面放電電極はバス電極１３とバス電極１３からそれぞれ放電ギャップ７側に突出した主放電電極として動作する透明電極５Ａ、６Ａとを有する構成において、主放電電極は放電ギャップ７に面する第１部分５ａ、６ａとバス電極１３に接する第２部分５ｂ、６ｂとから成り、これら第２部分５ｂ、６ｂはこの中心線がデータ電極１３の中心線からずれた位置に配置され、かつ放電ギャップ７を挟んで対となる第２部分５ｂ、６ｂはこれら中心線がデータ電極１３の中心線から反対側にずれた位置に配置される。
したがって、孤立点状のムラによる電圧マージンの圧迫を抑制して、安定して動作させることができる。
【実施例２】
【００４４】
図５は、この発明の実施例２であるＰＤＰの電極配置を示す平面図である。この例のＰＤＰの構成が、上述した実施例１の構成と大きく異なるところは、電極配置において、データ電極の形状を異ならせるようにした点である。
この例のＰＤＰの電極配置は、図５に示すように、データ電極１３をこの長さ方向の途中位置に第１屈曲部１７Ａ及び第２屈曲部１７Ｂを設けた形状に形成することにより、データ電極１３は第２部分５ｂ、６ｂと対向する位置の中心線が第２部分５ｂ、６ｂの中心線からずれており、また対となる第１部分５ａ、６ａと対向する位置の中心線が表示領域１８の中心線と重なり、さらに第２部分５ｂ、６ｂと対となる位置の中心線が第２部分５ｂ、６ｂの中心線と反対側にずれるように配置されている。すなわち、データ電極１３は、表示領域１８の中心点に対して点対称の位置に配置され、また、第１部分５ａ、６ａ及び第２部分５ｂ、６ｂは、これらの中心線が表示領域１８の中心線と重なる位置に配置される。
これ以外は、上述した実施例１と同様である。それゆえ、図５において、図２の構成部分と対応する各部には、同一の番号を付してその説明を省略する。
【００４５】
このように、この例の構成によっても、データ電極の形状が異なるだけで実施例１において述べたのを略同様な効果を得ることができる。
【実施例３】
【００４６】
図６は、この発明の実施例３であるプラズマ表示装置の構成を示すブロック図である。この例のプラズマ表示装置は、実施例１、２によるＰＤＰを用いて構成した点に特徴を有している。
この例のプラズマ表示装置６０は、図６に示すように、モジュール構造を有するものとして設計されており、具体的には、アナログインタフェース（以下、ＩＦ）２０とＰＤＰモジュール３０とにより構成されている。
【００４７】
アナログＩＦ２０は、図６に示すように、クロマ・デコータを備えるＹ／Ｃ分離回路２１と、Ａ／Ｄ変換回路２２と、ＰＬＬ回路を備える同期信号制御回路２３と、画像フォーマット変換回路２４と、逆γ（ガンマ）変換回路２５と、システム・コントロール回路２６と、ＰＬＥ制御回路２７とから構成されている。
【００４８】
概略的には、アナログＩＦ２０は、受信したアナログ映像信号をディジタル映像信号に変換した後、そのディジタル映像信号をＰＤＰモジュール３０に供給する。例えばテレビチューナーから発信されたアナログ映像信号はＹ／Ｃ分離回路２１においてＲＧＢの各色の輝度信号に分解された後、Ａ／Ｄ変換回路２２においてディジタル信号に変換される。その後、ＰＤＰモジュール３０の画素構成と映像信号の画素構成が異なる場合には、画像フォーマット変換回路２４において必要な画像フォーマットの変換が行われる。ＰＤＰの入力信号に対する表示輝度の特性は線形的に比例するが、通常の映像信号はＣＲＴの特性に合わせて、予め補正（γ変換）されている。このため、Ａ／Ｄ変換回路２２において映像信号のＡ／Ｄ変換を行った後、逆γ変換回路２５において、映像信号に対して逆γ変換を施し、線形特性に復元されたディジタル映像信号を生成する。このディジタル映像信号はＲＧＢ映像信号としてＰＤＰモジュール３０に出力される。
【００４９】
アナログ映像信号には、Ａ／Ｄ変換用のサンプリングクロック及びデータクロック信号が含まれていないため、同期信号制御回路２３に内蔵されているＰＬＬ回路が、アナログ映像信号と同時に供給される水平同期信号を基準として、サンプリングクロック及びデータクロック信号を生成し、ＰＤＰモジュール３０に出力する。アナログＩＦ２０のＰＬＥ制御回路２７は輝度制御を行う。具体的には、平均輝度レベルが所定値以下である場合には表示輝度を上昇させ、平均輝度レベルが所定値を越える場合には表示輝度を低下させる。
【００５０】
システム・コントロール回路２６は、各種制御信号をＰＤＰモジュール３０に対して出力する。ＰＤＰモジュール３０は、さらに、ディジタル信号処理・制御回路３１と、パネル部３２と、ＤＣ／ＤＣコンバータを内蔵するモジュール内電源回路３３と、から構成されている。ディジタル信号処理・制御回路３１は、入力ＩＦ信号処理回路３４と、フレームメモリ３５と、メモリ制御回路３６と、ドライバ制御回路３７とから構成されている。
【００５１】
例えば、入力ＩＦ信号処理回路３４に入力された映像信号の平均輝度レベルは入力ＩＦ信号処理回路３４内の入力信号平均輝度レベル演算回路（図示せず）により計算され、例えば、５ビットデータとして出力される。また、ＰＬＥ制御回路２７は、平均輝度レベルに応じてＰＬＥ制御データを設定し、入力ＩＦ信号処理回路３４内の輝度レベル制御回路（図示せず）に入力する。
【００５２】
ディジタル信号処理・制御回路３１は、入力ＩＦ信号処理回路３４において、これらの各種信号を処理した後、制御回路をパネル部３２に送信する。同時に、メモリ制御回路３６及びドライバ制御回路３７はメモリ制御信号及びドライバ制御信号をパネル部３２に送信する。
【００５３】
パネル部３２は、例えば実施例１によるＰＤＰ７０と、走査電極を駆動する走査ドライバ３８と、データ電極を駆動するデータドライバ３９と、ＰＤＰ７０及び走査ドライバ３８にパルス電圧を供給する高圧パルス回路４０と、高圧パルス回路４０からの余剰電力を回収する電力回収回路４１とから構成されている。
【００５４】
ＰＤＰ７０は、例えば１３６５個×７６８個に配列された画素を有するものとして構成されている。ＰＤＰ７０においては、走査ドライバ３８が走査電極を制御し、データドライバ３９がデータ電極を制御することにより、これらの画素のうちの所定の画素の点灯又は非点灯が制御され、所望の表示が行われる。
なお、ロジック用電源がディジタル信号処理・制御回路３１及びパネル部３２にロジック用電力を供給している。さらに、モジュール内電源回路３３は、表示用電源から直流電力を供給され、この直流電力の電圧を所定の電圧に変換した後、パネル部３２に供給している。
【００５５】
以下、この例のプラズマ表示装置６０の製造方法を概略的に説明する。
まず、実施例１によるＰＤＰ７０と、走査ドライバ３８と、データドライバ３９と、高圧パルス回路４０と、電力回収回路４１とを一基板上に配置し、パネル部３２を形成する。さらに、パネル部３２とは別個にディジタル信号処理・制御回路３１を形成する。
【００５６】
このようにして形成されたパネル部３２及びディジタル信号処理・制御回路３１とモジュール内電源回路３３とを一つのモジュールとして組み立て、ＰＤＰモジュール３０を形成する。さらに、ＰＤＰモジュール３０とは別個にアナログＩＦ２０を形成する。
このように、ＰＤＰモジュール３０をアナログＩＦ２０とをそれぞれ別個に形成した後、双方を電気的に接続することにより、図６に示したプラズマ表示装置６０が完成する。
【００５７】
このように、プラズマ表示装置６０をモジュール化することにより、プラズマ表示装置を構成する他の構成部品とは別個に独立にプラズマ表示装置６０を製造することが可能となり、例えば、プラズマ表示装置６０が故障した場合には、ＰＤＰモジュール３０毎交換することにより、補修の簡素化及び短時間化を図ることができる。
【００５８】
このように、この例のプラズマ表示装置によれば、プラズマ表示装置６０をモジュール化することにより、故障したような場合に、ＰＤＰモジュール３０毎交換することができ、補修の簡素化及び短時間化を図ることができる。
【００５９】
以上、この発明の実施例を図面により詳述してきたが、具体的な構成はこの実施例に限られるものではなく、この発明の要旨を逸脱しない範囲の設計の変更等があってもこの発明に含まれる。例えば実施例２ではデータ電極の長さ方向の途中位置に屈曲部を設けて、各透明電極の第１部分の下面と略直交するような関係となるように配置する例で示したが、これに限らずにデータ電極の形状は各透明電極の下面と斜交するような関係となるように配置してもよい。また、各実施例ではカラー表示方式のＰＤＰに適用する例で説明したが、これに限らずにモノクロ表示方式のＰＤＰに適用することもできる。
【図面の簡単な説明】
【００６０】
【図１】この発明の実施例１であるＰＤＰの概略構成を示す斜視図である。
【図２】同ＰＤＰの電極配置を示す平面図である。
【図３】同ＰＤＰにより得られた電圧マージンを説明するための特性図である。
【図４】同ＰＤＰにより得られた電圧マージンを説明するための特性図である。
【図５】この発明の実施例２であるＰＤＰの電極配置を示す平面図である。
【図６】この発明の実施例３であるプラズマ表示装置の構成を示すブロック図である。
【図７】従来のＰＤＰの概略構成を示す斜視図である。
【図８】同ＰＤＰの電極配置を示す平面図である。
【図９】第１の従来技術に係るＰＤＰの電極配置を示す平面図である。
【図１０】第２の従来技術に係るＰＤＰの電極配置を示す平面図である。
【図１１】同ＰＤＰの駆動方法を概略的に示す図である。
【図１２】ＰＤＰを動作させるための電圧駆動波形である。
【符号の説明】
【００６１】
１    前面基板（第１の基板）
２    背面基板（第２の基板）
３    放電ガス空間
４    第１の絶縁基板
５    走査電極
５Ａ、６Ａ    透明電極（主放電電極）
５Ｂ、６Ｂ    バス電極（トレース電極）
５ａ、６ａ    第１部分
５ｂ、６ｂ    第２部分
６    維持電極（共通電極）
７    放電ギャップ
８、１４      誘電体層
９    保護層
１０、７０    ＰＤＰ（プラズマディスプレイパネル）
１１    単位放電セル
１２    第２の絶縁基板
１３    データ電極（アドレス電極）
１５    隔壁
１６    蛍光体層
１７Ａ    第１屈曲部
１７Ａ    第２屈曲部
１８    表示領域
２０    アナログインタフェース（ＩＦ）
３０    プラズマディスプレイパネル（ＰＤＰ）モジュール
３１    ディジタル信号処理・制御回路
３２    パネル部
６０    プラズマ表示装置
【図１】
2006004679.tif 000003
【図２】
2006004679.tif 000004
【図３】
2006004679.tif 000005
【図４】
2006004679.tif 000006
【図５】
2006004679.tif 000007
【図６】
2006004679.tif 000008
【図７】
2006004679.tif 000009
【図８】
2006004679.tif 000010
【図９】
2006004679.tif 000011
【図１０】
2006004679.tif 000012
【図１１】
2006004679.tif 000013
【図１２】
2006004679.tif 000014